【手続補正書】
【提出日】平成24年12月7日(2012.12.7)
【手続補正１】
【補正対象書類名】明細書
【補正対象項目名】０１０２
【補正方法】変更
【補正の内容】
【０１０２】
本発明の範囲及び趣旨から外れることなく、本発明の予測可能な修正及び変更が当業者には自明であろう。本発明は、例証の目的のために本出願において説明された実施形態に限定されるべきではない。
本願発明に関連する発明の実施形態について以下に列挙する。
[実施形態１]
ａ）アクリル系ブロックコポリマーを含む組成物と、
ｂ）溶媒と、
ｃ）噴射剤と、を含むエアゾール。
[実施形態２]
前記アクリル系ブロックコポリマーが前記溶媒に可溶性である、実施形態１に記載のエアゾール。
[実施形態３]
前記溶媒の重量が、前記組成物と前記溶媒とを組み合わせた重量の８５％未満を構成する、実施形態１又は２に記載のエアゾール。
[実施形態４]
前記アクリル系ブロックコポリマーがジブロック、トリブロック、マルチブロック又は星形ブロックである、実施形態１〜３のいずれか一項に記載のエアゾール。
[実施形態５]
前記アクリル系ブロックコポリマーが、
ａ）（メタ）アクリレートモノマー、スチレン系モノマー又はこれらの組み合わせを含むモノエチレン性不飽和モノマーから各々独立して誘導される少なくとも２個のＡ１末端部ブロックポリマー単位（ここで、各Ａ１末端部ブロックは少なくとも５０℃のガラス転移温度を有する）と、
ｂ）（メタ）アクリレートモノマー、ビニルエステルモノマー又はこれらの組み合わせを含むモノエチレン性不飽和モノマーから誘導される少なくとも１個のＢ１中間部ブロックポリマー単位（ここで、各Ｂ１中間部ブロックは２０℃以下のガラス転移温度を有する）と、を含み、
但し、少なくとも１個のＡ１末端部ブロックポリマー単位又は１個のＢ１中間部ブロックポリマー単位は、（メタ）アクリレートを含むモノエチレン性不飽和モノマーから誘導される、実施形態１〜４のいずれか一項に記載のエアゾール。
[実施形態６]
前記アクリル系ブロックコポリマーがトリブロックコポリマーであり、各Ａ１末端部ブロックがアルキルメタクリレートモノマーの反応生成物を含み、前記Ｂ１中間部ブロックがアルキル（メタ）アクリレートモノマーの反応生成物を含む、実施形態５に記載のエアゾール。
[実施形態７]
前記アクリル系ブロックコポリマーが、メチルメタクリレートモノマーから誘導される高分子単位を含む、実施形態１〜６のいずれか一項に記載のエアゾール。
[実施形態８]
前記アクリル系ブロックコポリマーが、少なくとも５０，０００ダルトンの数平均分子量を有する、実施形態１〜７のいずれか一項に記載のエアゾール。
[実施形態９]
前記組成物がガラス転移温度変性剤を更に含む、実施形態１〜８のいずれか一項に記載のエアゾール。
[実施形態１０]
前記ガラス転移温度変性剤が、
ａ）少なくとも２０℃のガラス転移温度を有すると共に不飽和からのオレフィン性水素を含むロジン異性体を少なくとも３５重量パーセント含む第一固体粘着付与剤と、
ｂ）２０℃に等しいガラス転移温度を含むと共に不飽和からのオレフィン性水素を含むロジン異性体を３５重量パーセント以下で有するロジンを含む第二固体粘着付与剤と、を含む、実施形態９に記載のエアゾール。
[実施形態１１]
前記ガラス転移温度変性剤が、
ａ）少なくとも２０℃のガラス転移温度を有すると共に０若しくは１個の炭素−炭素二重結合を有する第一ロジン酸、ロジンエステル又はこれらの組み合わせを少なくとも７０重量パーセント含む第一固体粘着付与剤と、
ｂ）少なくとも２０℃のガラス転移温度を有すると共に０若しくは１個の炭素−炭素二重結合を有する第二ロジン酸、ロジンエステル又はこれらの組み合わせを５０重量パーセント以下含む第二固体粘着付与剤と、
ｃ）０℃以下のガラス転移温度を有する第三液体粘着付与剤と、を含む、実施形態９又は１０に記載のエアゾール。
[実施形態１２]
前記ガラス転移温度変性剤が、ロジン、ロジン誘導体、水素添加ロジン誘導体、ポリテルペン樹脂、フェノール樹脂、クマロン−インデン樹脂、テルペンフェノール樹脂、アクリル樹脂、ポリ−ｔ−ブチルスチレン、炭化水素油、炭化水素樹脂、エポキシ樹脂、フタレート、リン酸エステル、二塩基酸エステル、脂肪酸エステル、セバケート、アジパート、クエン酸塩、トリメリテート、ジベンゾエート、テレフタレート、アルキルフェニルエーテル又はポリエーテルのうちの少なくとも１つを含む、実施形態９〜１１のいずれか一項に記載のエアゾール。
[実施形態１３]
前記ガラス転移温度変性剤が前記溶媒に可溶性である、実施形態９〜１２のいずれか一項に記載のエアゾール。
[実施形態１４]
前記噴射剤が液化ガスを含み、所望により前記液化ガスが、プロパン、イソブタン、ｎ−ブタン、ジメチルエーテル、テトラフルオロエタン、１，１−ジフルオロエタン又はこれらの組み合わせのうちの少なくとも１つを含む、実施形態１〜１３のいずれか一項に記載のエアゾール。
[実施形態１５]
前記噴射剤が圧縮ガスであり、所望により前記圧縮ガスが、二酸化炭素、窒素、亜酸化窒素、圧縮空気又はこれらの組み合わせのうちの少なくとも１つである、実施形態１〜１３のいずれか一項に記載のエアゾール。
[実施形態１６]
前記噴射剤が液化ガスを更に含み、所望により前記液化ガスが、プロパン、イソブタン、ｎ−ブタン、ジメチルエーテル、テトラフルオロエタン、１，１−ジフルオロエタン又はこれらの組み合わせのうちの少なくとも１つを含む、実施形態１５に記載のエアゾール。
[実施形態１７]
前記溶媒と前記噴射剤とを組み合わせた重量が前記エアゾールの総重量の９０％未満である、実施形態１５又は１６に記載のエアゾール。
[実施形態１８]
前記溶媒が、脂肪族、脂環式、エタノール、ジアセトンアルコール、芳香族、エステル又はケトンのうちの少なくとも１つを含む、実施形態１〜１７のいずれか一項に記載のエアゾール。
[実施形態１９]
前記溶媒がノンＶＯＣ溶媒である、実施形態１〜１８のいずれか一項に記載のエアゾール。
[実施形態２０]
前記ノンＶＯＣ溶媒がアセトン、酢酸メチル又はこれらの組み合わせを含む、実施形態１８に記載のエアゾール。
[実施形態２１]
添加物を更に含む、実施形態１〜２０のいずれか一項に記載のエアゾール。
[実施形態２２]
前記添加物が前記溶媒に可溶性である、実施形態２１に記載のエアゾール。
[実施形態２３]
前記組成物が接着剤である、実施形態１〜２２のいずれか一項に記載のエアゾール。
[実施形態２４]
弁を備える加圧収容容器内に収容された実施形態１〜２３のいずれか一項に記載のエアゾールを含む物品。
[実施形態２５]
接着剤組成物の液滴を含むエアゾールミストであって、前記接着剤組成物が、アクリル系ブロックコポリマーと、ガラス転移温度変性剤と、所望により添加物と、を含む、エアゾール。
【手続補正２】
【補正対象書類名】特許請求の範囲
【補正対象項目名】全文
【補正方法】変更
【補正の内容】
【特許請求の範囲】
【請求項１】
ａ）アクリル系線状又は星形のブロックコポリマーを含む組成物と、
ｂ）溶媒と、
ｃ）噴射剤と、
を含むエアゾールであって、前記アクリル系ブロックコポリマーが前記溶媒に可溶性であるか、又は可溶性でない、エアゾール。
【請求項２】
前記組成物が接着剤である、請求項１に記載のエアゾール。
【請求項３】
接着剤組成物の液滴を含むエアゾールミストであって、前記接着剤組成物が、アクリル系線状又は星形のブロックコポリマーと、ガラス転移温度変性剤とを含み、さらに添加物を含むか又は含まない、エアゾールミスト。